(57)【特許請求の範囲】
【請求項１】
スクリーン上で観察者によって視覚される３Ｄコンテンツの歪み誤差を補正するための方法であって、
前記スクリーンに対する前記観察者の定義された距離および視差に応じた、前記３Ｄコンテンツの前記観察者にとってのレンダリングされる真円度係数を決定することと、
前記３Ｄコンテンツのオブジェクトの前記視差の値が１に等しい知覚される真円度係数を取得するために補正されるように、前記決定されたレンダリングされる真円度係数の関数として、前記観察者にとっての視差変換関数を決定することと、
を含む、前記方法。
【請求項２】
前記レンダリングされる真円度係数は、円形オブジェクトに対する前記オブジェクトの幅の、前記オブジェクトの奥行きによる除算に対応する、
請求項１に記載の３Ｄコンテンツの歪み誤差を補正するための前記方法。
【請求項３】
補正前の前記視差の値は、前記３Ｄコンテンツに関連付けられた視差マップから抽出される、
請求項１に記載の３Ｄコンテンツの歪み誤差を補正するための前記方法。
【請求項４】
補正前の前記視差の値は、前記３Ｄコンテンツに関連付けられた前記観察者のパラメーターから計算される、
請求項１に記載の３Ｄコンテンツの歪み誤差を補正するための前記方法。
【請求項５】
前記視差および前記３Ｄコンテンツのオブジェクトの前記距離は、前記オブジェクトの各ピクセルの、前記視差の平均および前記距離の平均として定義される、
請求項４に記載の３Ｄコンテンツの歪み誤差を補正するための前記方法。
【請求項６】
前記視差の値を変更するパラメーターは、３Ｄ作成ソフトウェアに直接実装されている、
請求項１に記載の３Ｄコンテンツの歪み誤差を補正するための前記方法。
【請求項７】
スクリーン上で観察者によって視覚される３Ｄコンテンツの歪み誤差を補正するための装置であって、
前記スクリーンに対する前記観察者の定義された距離および視差に応じた、前記３Ｄコンテンツの前記観察者にとってのレンダリングされる真円度係数を決定する手段と、
前記３Ｄコンテンツのオブジェクトの前記視差の値が１に等しい知覚される真円度係数を取得するために補正されるように、前記決定されたレンダリングされる真円度係数の関数として、前記観察者にとっての視差変換関数を決定する手段と、
を含む、前記装置。
【請求項８】
前記レンダリングされる真円度係数を決定する手段は、円形オブジェクトに対する円柱の幅を前記円柱の奥行きで除算する、
請求項７に記載の３Ｄコンテンツの歪み誤差を補正するための前記装置。
【請求項９】
抽出手段により、補正前の前記視差の値は、前記３Ｄコンテンツに関連付けられた視差マップから抽出される、
請求項７に記載の３Ｄコンテンツの歪み誤差を補正するための前記装置。
【請求項１０】
計算手段により、補正前の前記視差の値は、前記３Ｄコンテンツに関連付けられた前記観察者のパラメーターから計算される、
請求項７に記載の３Ｄコンテンツの歪み誤差を補正するための前記装置。
【請求項１１】
前記視差および前記３Ｄコンテンツのオブジェクトの前記距離は、前記オブジェクトの各ピクセルの、前記視差の平均および前記距離の平均として定義される、
請求項１０に記載の３Ｄコンテンツの歪み誤差を補正するための前記装置。
【請求項１２】
前記装置は、前記オブジェクトの視差の値を変更する手段をさらに含み、
前記オブジェクトの視差の値を変更する前記手段は、現実世界をキャプチャするための手段または３Ｄ作成ソフトウェアの３Ｄ描画をキャプチャするための手段に直接実装されている、
請求項８に記載の３Ｄコンテンツの歪み誤差を補正するための前記装置。
【発明の詳細な説明】
【技術分野】
【０００１】
本発明は、立体視ディスプレイにおける調節の結果生じる歪み誤差を補正するための方法および装置に関する。歪み誤差は、３次元レンダリングの領域において発生する。本発明において、表示されるまたは処理されるビデオコンテンツは、立体視またはマルチビューの３次元コンテンツのいずれかである。
【背景技術】
【０００２】
立体視３次元のビデオコンテンツは、各１の目に対して１つのイメージが映されれば視覚され得る。両イメージ間の差異は、視点においてかすかに異なる視差（ｄｉｓｐａｒｉｔｉｅｓ）と呼ばれる。
【０００３】
立体映像コンテンツが表示される態様を考慮すると、観察者は、調節（ａｃｃｏｍｍｏｄａｔｉｏｎ）および輻輳（ｃｏｎｖｅｒｇｅｎｃｅ）と呼ばれる生理系の両方を切り離さなければならない。実際に、スクリーン上での視差が輻輳系を刺激し、一方で観察者の眼の調節は、映像（ｖｉｓｉｏｎ）の鮮明さを保つために、スクリーン面の被写界深度（ｄｅｐｔｈ  ｏｆ  ｆｉｅｌｄ）を維持するための状態を維持しなければならない。
【０００４】
立体視３次元でオブジェクトを見るために、観察者は、視差が調節される観察距離を決定しなければならない。ゆえに、立体視コンテンツの観察者は、シミュレートされた奥行きを保つために、映像シーケンスから少なくとも２つの情報、すなわち視差信号に関連付けられる輻輳と、スクリーン上の空間周波数と関連付けられる調節、について考慮することができる。しかしながら、調節信号が両眼視差の距離のスケーリングの精緻化において優先される傾向にある。これは、提案される奥行きとは異なる知覚される奥行につながる。
【０００５】
これは、交差視差（スクリーン手前の奥行き）に対する奥行きの過大評価および非交差視差（スクリーン背後の奥行き）に対する奥行きの過小評価に対応する。この現象は、Ｗａｔｔ  ｅｔ  ａｌ．  （２００５）による文献、Ｆｏｃｕｓ  ｃｕｅｓ  ａｆｆｅｃｔ  ｐｅｒｃｅｉｖｅｄ  ｄｅｐｔｈ．  Ｊｏｕｒｎａｌ  ｏｆ  Ｖｉｓｉｏｎ，  ５（１０）：７，  ８３４-８６２においてさらに詳しく説明されている。
【０００６】
調節に関連するこの現象は、３次元空間が歪んだものとして知覚されるため、３Ｄ経験の品質に直接的に影響を与える。この影響は、「真円度係数（ｒｏｕｎｄｎｅｓｓ  ｆａｃｔｏｒ）」に対応するものとして説明され、真円度係数は、丸みのあるオブジェクトに対する、オブジェクトの奥行きＤｚで除算されるオブジェクトの幅Ｄｘに対応する。図３において、例えば、負の交差視差を有する、提示されている係数の「真円度係数」は２である。それは、歪みによってどの程度オブジェクトのプロポーションが影響を受けるかを測定する。完全な真円度係数である１は、歪みが全く知覚されないことを示す。
【０００７】
図４のグラフは、立体視の円柱の幅Ｄｘとスクリーン面から観察者までのシミュレートされる距離Ｄｖｉｒｔｕａｌに相対する、所与の観察者にとっての立体視の円柱の奥行きＤｚの推定を示す。Ｘ軸は、円柱の観察者に対する３次元の（シミュレートされた）距離を示し、左側のＹ軸は円柱の奥行きの観察者推定を示し、右側のＹ軸は、実際のオブジェクトの幅に対する推定されたオブジェクトの奥行きの割合を示す。グラフはまた、２つの線型回帰を表し、１つ目（１）は円柱の奥行きの推定を示す点に対する回帰直線であり、２つ目（２）は円柱の実際の幅に対する推定された奥行きの割合を示す十字記号に対する直線である。これらの回帰直線は、観察者の視覚系により作用する変換をもたらす限り立体視コンテンツを調節するために用いることができる。円柱の幅は常に７０ピクセルに等しい。各円柱を知覚するために必要とされる視差の大きさはシミュレートされる距離に伴い増加する。円柱の奥行きはそれゆえ円柱が観察者に近づくと（スクリーンの前に）より一層過大評価され、オブジェクトが（スクリーンの後ろに）離れると過小評価される。ゆえに、円柱の歪みが生じる。
【０００８】
この歪みの補正は現在解消されていない。正確な立体視の知覚をもたらすための提案はされていない。
【先行技術文献】
【非特許文献】
【０００９】
【非特許文献１】Ｗａｔｔ  ｅｔ  ａｌ．  （２００５）による文献、Ｆｏｃｕｓ  ｃｕｅｓ  ａｆｆｅｃｔ  ｐｅｒｃｅｉｖｅｄ  ｄｅｐｔｈ．  Ｊｏｕｒｎａｌ  ｏｆ  Ｖｉｓｉｏｎ，  ５（１０）：７，  ８３４-８６２
【発明の概要】
【００１０】
本発明は、この問題を解消するために提案される。本発明は、画面上で観察者によって視認される３Ｄコンテンツの歪み誤差を補正するための方法に関する。
【００１１】
方法は、ピンホールモデルで投影された円柱の観察者にとってのレンダリングされる真円度係数を決定するステップと、定義されたスクリーンに対する観察者の距離とイメージのオブジェクトの視差値に従いレンダリングされる真円度係数テーブルを推定するステップと、推定されたレンダリングされる真円度係数テーブルの関数として、観察者にとっての視差変換関数を決定するステップと、１に等しい知覚される真円度係数を取得するために、視差変換を利用して３Ｄコンテンツのオブジェクトの視差値を変更するステップと、を含む。
【００１２】
このソリューションは、３Ｄコンテンツの忠実な回復を可能にする。
【００１３】
本発明の一実施形態に従えば、オブジェクトの真円度係数は、円形オブジェクトに対するオブジェクトの幅のオブジェクトの奥行きによる除算に対応する。
【００１４】
本発明の一実施形態に従えば、視差値は、３Ｄコンテンツに関連付けられた視差マップから抽出される。
【００１５】
本発明の実施形態に従えば、視差値は、３Ｄコンテンツに関連付けられた観察者のパラメーターから計算される。
【００１６】
本発明の一実施形態に従えば、視差および３Ｄコンテンツのオブジェクトのスクリーンに対する距離は、オブジェクトの各ピクセルの、視差の平均およびスクリーンに対する距離の平均として定義される。
【００１７】
本発明の一実施形態に従えば、観察者にとって知覚される真円度係数が１（ｐｒｆ＝１．０）に等しくなるように、元々の値に従いオブジェクトの視差値が変更される。
【００１８】
本発明の一実施形態に従えば、視差値を変更するパラメーターは、３Ｄ作成ソフトウェアに直接実装されている。
【００１９】
本発明は、また、スクリーン上で観察者によって視覚される３Ｄコンテンツの歪み誤差を補正するための装置を提案する。装置は、ピンホールモデルで投影された円柱の観察者にとってのレンダリングされる真円度係数を決定する手段と、定義されたスクリーンに対する観察者の距離とイメージのオブジェクトの視差値に従いレンダリングされる真円度係数テーブルを推定する手段と、推定されたレンダリングされる真円度係数テーブルの関数として、観察者にとっての視差変換関数を決定する手段と、１に等しい知覚される真円度係数を取得するために、視差変換を利用して３Ｄコンテンツのオブジェクトの視差値を変更する手段と、を含む。
【００２０】
本発明の一実施形態に従えば、レンダリングされる真円度係数を決定する手段は、円形オブジェクトに対する円柱の奥行きで除算された円柱の幅に対応する。
【００２１】
本発明の一実施形態に従えば、抽出手段により、視差値は、３Ｄコンテンツに関連付けられた視差マップから抽出される。
【００２２】
本発明の一実施形態に従えば、計算手段により、視差値は、３Ｄコンテンツに関連付けられた観察者のパラメーターから計算される。
【００２３】
本発明の一実施形態に従えば、視差および３Ｄコンテンツのオブジェクトのスクリーンに対する距離は、オブジェクトの各ピクセルの、視差の平均およびスクリーンに対する距離の平均として定義される。
【００２４】
本発明の一実施形態に従えば、オブジェクトの視差値を変更する手段は、観察者にとって知覚される真円度係数が１に等しくなるように、元々の値に従いオブジェクトの視差値が変更される。
【００２５】
本発明の一実施形態に従えば、オブジェクトの視差値を変更する手段は、現実世界をキャプチャするための手段または３Ｄ作成ソフトウェアの３Ｄ描画をキャプチャするための手段に直接実装されている。
【図面の簡単な説明】
【００２６】
添付の図面と併せて本発明の実施形態の以下の説明を参照することによって、上記のおよび他の特徴および本発明の利点、およびそれらを達成する方法が、より明らかになり、そして、本発明がより理解され得る。
【図１】それぞれの眼に対する透視投影の予測を示す図である。
【図２】ピンホールカメラモデルで計算された視差の表現を示す図である。
【図３】観察者に向かってスクリーンを超えた円柱の幾何学的な表現を示す図である。
【図４】円柱の観察者への距離に相対する、歪みのないオブジェクトを知覚するために必要とされるオブジェクトの視差（左側のＹ軸）または真円度係数（右側のＹ軸）を表すグラフである。
【図５】本発明の好ましい実施形態に従う方法の概要図である。
【発明を実施するための形態】
【００２７】
例示は、本明細書に記載の本発明の好ましい実施形態を示し、このような例示は、いかなる方法によっても本発明の範囲を限定するものとして解釈されるべきではない。
【００２８】
視差の各変化が奥行きの一定の変化をもたらすように、３Ｄコンテンツの視差を視差の大きさおよび符号の関数として変更する方法が説明される。視差の符号は、スクリーンより後ろに示されるオブジェクトに対しては正であり、スクリーンより前に示されるオブジェクトに対しては負である。この方法では、ピンホールカメラモデルから生じる立体的な歪みの補正を可能にすることによって、奥行きにおいて良好な位置に３Ｄオブジェクトを位置づけする正しい立体視知覚が提供される。この歪みは伸長または平板化された３Ｄ形状に対応する。ピンホールカメラモデルは、ＧＣＩカメラモデルとして、または実在のカメラの表現モデルのいずれかとして、合成および未加工の両方のコンテンツに対して広く使用される一般的に認知されている３Ｄコンテンツ作成モデルである。これは、多くの種類の３次元画像処理の基礎として同様に使用されている。
【００２９】
図１に表されるように、透視投影はそれぞれの目に対する予測をする。
【００３０】
【数１】
0006393254.tif 000002
【００３１】
このモデルでは、視聴者の、距離Ｄ地点に表示されるポイントに対する映像と距離ｄにおけるディスプレイに対する映像との間の視差は以下の式で予測される。
【００３２】
【数２】
0006393254.tif 000003
【００３３】
ここで、ｅは、視聴者の眼間または瞳孔間距離である。
【００３４】
今日、ＣＧＩ（Ｃｏｍｐｕｔｅｒ  Ｇｅｎｅｒａｔｅｄ  Ｉｍａｇｅｒｙ）または３Ｄイメージまたは映像の処理において、この基本的なピンホールカメラモデル（ｓｔｅｎｏｐeカメラ）は、カメラを設計するために広く使用される。これは、人間の視覚と比較した場合、スケール／奥行き歪みまたは不正確な３Ｄの知覚、およびモーション歪みを有する３Ｄイメージや映像を生成する。
【００３５】
人間の視覚系により３Ｄ画像として受け入れられているものの、ピンホールカメラモデルは、自然の視聴に比べて、可視化がより困難な画像を生成する。自然空間との対応は、部分的でしかなく、注目点の周囲の小さな視角に対してのみ有効である。
【００３６】
新たに提案された解決策はまた、ピンホールモデルがこの歪みを考慮しないため、空間内の正確な３Ｄレンダリングを提供するために、３Ｄコンテンツを修正することにある。ピンホールモデルは、光学系と眼の生理機能とは独立して３Ｄ空間のジオメトリを考慮する中心投影モデルである。
【００３７】
図３は、観察者についてスクリーンを超えた円柱の幾何学的な表現を示す。交差視差により、視差が過大評価されていることから円柱は伸長されて知覚される。これは、レンダリングされるオブジェクト（破線の青い丸）が説明される歪みを考慮しない場合に発生する。
【００３８】
スクリーン面に対する観察者の距離Ｄｓｃｒｅｅｎが既知である場合を考慮すると、観察者が所与の視差で半径ｒの所与の立体視の円柱の丸みをどのように知覚するか取得し保存することが可能である。
【００３９】
このように、真円度係数テーブルまたは関数は、スクリーンに対する観察者の距離Ｄｓｃｒｅｅｎおよび観察者に対して与えられる視差に応じて推定される。このテーブルまたは関数を反転（ｉｎｖｅｒｔ）させて、スクリーンに対する所与のオブジェクトの距離に対して１の真円度係数をもたらす視差を得ることができる。
【００４０】
本発明によって提案される解決策は、３Ｄコンテンツの視差を再計算して、１に等しい真円度係数に対応する、真に正確な奥行きの知覚を提供することである。
【００４１】
その結果、キャプチャされた物理的な物体またはＣＧＩレンダリングされたオブジェクトが、立体視的に表示される際に正しい奥行きと正しい形状で知覚される。
【００４２】
本解決策に対する種々の代替策は本発明の一部分である。
【００４３】
初期の投影モデル（例えば、ピンホール投影モデル）で作成されたオブジェクトは、観察者に対して、スクリーン上の視差および位置で立体視ディスプレイ上に提供される。スクリーン上のこの視差および位置は、所与の観察者の視覚的な空間における当該オブジェクトの各部分のスクリーンに対する視差および距離の平均として定義される。
【００４４】
例ごとに、ローカルボリュームが、観察者の各目の位置に対応し且つスクリーンに対する平均距離に応じて計算された視差点を伴い、あるオブジェクト、例えば円柱、に対して与えられる。相対的な視差によって定義される当該オブジェクトのレンダリングされた真円度は、異なるレンダリングされた真円度係数でオブジェクトの種々のインスタンスを観察者に提示するための変数である。
レンダリングされる真円度係数
ｒｒｆ＝Ｄｚ／Ｄｘ
ここで、初期投影モデルで投影される３Ｄ円形のオブジェクト（例えば、平板化または伸長された円柱）についての、Ｄｚは奥行きの尺度でありＤｘは幅の尺度である。レンダリングされる真円度係数ｒｒｆは、レンダリングされた仮の円柱の意図された平板度または伸長度を特徴づける。
【００４５】
観察者のスクリーンに対する平均距離Ｄｓｃｒｅｅｎおよび関数内のレンダリングされる真円度係数（ｒｒｆ）とを変化させると、各観察者にとっての知覚される真円度係数（ｐｒｆ）が推定される。その結果はテーブルｔにストックされ、その結果
ｐｒｆ＝ｔ（Ｄｓｃｒｅｅｎ，ｒｒｆ），
となり、これは関数ｆに補間することができる（ｆ;ｐｒｆ＝ｆ（Ｄｓｃｒｅｅｎ，ｒｒｆ））。
【００４６】
解決策は、知覚される真円度係数を１（ｐｒｆ＝１．０）に保つ設定の、距離およびレンダリングされる真円度係数のパラメーター（ｄｉｓｔ，ｒｒｆ）を見出すために、補間関数ｆ（Ｄｓｃｒｅｅｎ，ｒｒｆ）＝１．０を解くことにある。
【００４７】
別の解決策は、最初に、１に等しい（ｐｒｆ＝１．０）観察者のための知覚される真円度係数を生成する、スクリーンまでの各距離Ｄｓｃｒｅｅｎに対するレンダリングの真円度係数を与える関数
ｒｒｆ（ｐｒｆ＝１）＝ｇ（ｄｉｓｔ）
を導出し、第２に元々は初期の投影モデルで作成された画像または映像における視差を関数ｒｒｆ（ｐｒｆ＝１）＝ｇ（ｄｉｓｔ）で変更する。
【００４８】
立体視コンテンツの取得は、現実世界の視覚的なキャプチャを通じて行う第１のケースや３Ｄ描画のキャプチャを通じて行う第２のケースのいずれかで得ることができる。
【００４９】
第１のケースでは、立体視コンテンツは、現実世界の視覚的なキャプチャにより得られ、観察者のための知覚される真円度係数が１に等しくなるように（ＰＲＦ＝１．０）、アルゴリズムは、元の値に応じて視差の大きさを変更する。
【００５０】
第２のケースにおいて、立体視コンテンツは３Ｄ描画のキャプチャから得られるため、視差属性値を変更するためのパラメーターは、例えば、ＣＧＩ（Ｃｏｍｐｕｔｅ  Ｇｅｎｅｒａｔｅｄ  Ｉｍａｇｅｒｙ）といった３Ｄ作成ソフトウェアに直接実装される。
【００５１】
いくつかの特殊性は、図４で描画される線形回帰の勾配といった個体間変動に関する。それは、観察者に応じて異なる場合がある。したがって、コンテンツは、それらの特徴に応じて調整されなければならない。
【００５２】
調節や輻輳の間の重み付けモデルを、観察者特性の厳密な推定の代わりに補正因子を決定するものとして使用することができる。それは単に、各キューに１の重みを割り当てる。対応する重みは、文献および観察者の推定値からの平均化されたデータから導出することができる。
【００５３】
例として、および古典的なモデルに従えば、円柱の中心の視差は
ｄｉｓｐａｒｉｔｙｃ＝ＩＯＤ−ＩＯＤ．Ｄｓｃｒｅｅｎ／Ｄｖｉｒｔｕａｌ，
ＩＯＤは眼間距離であり、Ｄｓｃｒｅｅｎはスクリーンまでの観察者の距離であり、Ｄｖｉｒｔｕａｌは、シミュレートされた距離であって、スクリーンＤｓｃｒｅｅｎと間隔を置く視覚のために表示を望む距離である。
【００５４】
図３に従えば、観察者に対してＤｖｉｒｔｕａｌ＝１．１ｍに位置されたオブジェクトは、Ｄｓｃｒｅｅｎ＝１．３ｍのスクリーン距離に対して、その参照点に対してｄｉｓｐ＝１２ｍｍのスクリーン上の視差を有する。中心は注視点ｆに一致し、以下の距離に対応する。
Ｄｆｉｘａｔｉｏｎ＝ＩＯＤ．Ｄｓｃｒｅｅｎ／（ＩＯＤ−ｄｉｓｐ）．
オブジェクトの中心周りの円柱に属するより近い点は、以下の視差を有する。
ｄｉｓｐ＝ＩＯＤ-ＩＯＤ．Ｄｓｃｒｅｅｎ／（Ｄｆｉｘａｔｉｏｎ-２ｒ）
ｒは円柱の半径である。
【００５５】
＜＜真円度係数＞＞の値は、Ｄｆｉｘａｔｉｏｎの距離において知覚されるピンホールモデルの投影に対して、ｒｒｆ＝Ｄｚ／Ｄｘとなる。
【００５６】
本補正によれば、観察者のデータに基づいて「完璧な円柱」の知覚を生じさせる、表示されるべき補正された視差は、
ｄｉｓｐｃｏｒｒｅｃｔｅｄ＝ＩＯＤ−ＩＯＤ．Ｄｓｃｒｅｅｎ／（Ｄｆｉｘａｔｉｏｎ−２ｒ／ｒｒｆ）
となる。
【００５７】
ピンホール投影モデル（例えば、ｒｒｆ＝０.５）で、ｚで平板化されて表示されるオブジェクトは、補正された投影イメージペアにおいてｚで伸長されて提示され、適切で／意図された奥行きで知覚される（例えば、ｒは、ｒ／０．５＝２．ｒとなる。）。
【００５８】
この補正は、視覚シーケンスにおける観察する各ポイントに対して実現することができる。
【００５９】
ローカル奥行きΔｚ（Δｚは上記円柱に対して２ｒに等しい）のオブジェクトを考慮する際に、真の視差変換は、ピンホールモデルにおいて、オブジェクトのローカル奥行きであるΔｚと知覚される真円度係数ｒｒｆに依存する。図４の変換ＴＤによれば、それは式：
ｄｉｓｐｔｒｕe＝ｄｉｓｐｃｏｒｒｅｃｔｅｄ＋ＩＯＤ．Ｄｓｃｒｅｅｎ（１／（Ｄｆｉｘａｔｉｏｎ−Δｚ）−１／（Ｄｆｉｘａｔｉｏｎ−２ｒ／ｒｒｆ））
である。
【００６０】
実装のあるモードは、図５で示されるようなコンテンツアダプテーションにある。
【００６１】
コンテンツアダプテーションは以下のステップを含む。
−コンテンツの時間的なセグメンテーションと視差マップの推定からなる第１のステップ。時間的なセグメンテーションは、視差マップが抽出される対象となる一意なイメージを分割することを可能にする。
−次に、オブジェクト分析フェーズからなる第２のステップ。コンテンツ分析およびオブジェクトのセグメンテーションは、コンテンツにおけるオブジェクトの参照点を決定することを可能にする。この決定のために、心理的注意モデルに基づく顕著性マップを使用することができる。観察者の注意を引く重要な顕著性に対応する特定の注視点が、イメージ中で同様に決定される。
−シークエンス中の各フレームに対するオブジェクト視差Ｄｏｂｊｅｃｔの推定をする第３のステップ。両眼視線トラッキングが、眼の輻輳を利用した現実世界の３次元（３Ｄ）空間における対象の注視点（ＰＯＧ）の推定のために使用される。
−両眼距離およびスクリーンへの距離などの観察者特性を考慮した視差変換ＴＤの推定を行う次のステップ。
−次のステップにおいて、変換ＴＤを通じて、コンテンツの視差値の変更が実施される。
【００６２】
潜在的な適用対象は、映画、ＴＶ、ゲーム、医療用画像、など、すべての立体視コンテンツにわたり、ユーザ特性の関数として較正することができる。このソリューションは、立体的なイメージにおいて高精度を必要とするものに対して適用することに有用であろう。
［付記１］
スクリーン上で観察者によって視覚される３Ｄコンテンツの歪み誤差を補正するための方法であって、
定義された前記スクリーンに対する前記観察者の距離および視差に応じた、前記３Ｄコンテンツの前記観察者にとってのレンダリングされる真円度係数（ｒｒｆ）を決定するステップと、
前記３Ｄコンテンツのオブジェクトの前記視差の値が補正されて、１に等しい知覚される真円度係数を取得するために、前記決定されたレンダリングされる真円度係数の関数として、前記観察者にとっての視差変換関数（ＴＤ）を決定するステップと、
を含む、前記方法。
［付記２］
前記レンダリングされる真円度係数は、円形オブジェクトに対する前記オブジェクトの幅の、前記オブジェクトの奥行きによる除算に対応する、
付記１に記載の前記３Ｄコンテンツの歪み誤差を補正するための前記方法。
［付記３］
前記視差の値は、前記３Ｄコンテンツに関連付けられた視差マップから抽出される、
付記１に記載の３Ｄコンテンツの歪み誤差を補正するための前記方法。
［付記４］
前記視差の値は、前記３Ｄコンテンツに関連付けられた前記観察者のパラメーターから計算される、
付記１に記載の３Ｄコンテンツの歪み誤差を補正するための前記方法。
［付記５］
前記視差および前記３Ｄコンテンツのオブジェクトの前記スクリーンに対する距離は、前記オブジェクトの各ピクセルの、視差の平均および前記スクリーンに対する距離の平均として定義される、
付記４に記載の３Ｄコンテンツの歪み誤差を補正するための前記方法。
［付記６］
前記視差の値を変更する前記パラメーターは、３Ｄ作成ソフトウェアに直接実装されている、
付記１に記載の３Ｄコンテンツの歪み誤差を補正するための前記方法。
［付記７］
スクリーン上で観察者によって視覚される３Ｄコンテンツの歪み誤差を補正するための装置であって、
定義された前記スクリーンに対する前記観察者の距離および視差に応じた、前記３Ｄコンテンツの前記観察者にとってのレンダリングされる真円度係数（ｒｒｆ）を決定する手段と、
前記３Ｄコンテンツのオブジェクトの前記視差の値が補正されて、１に等しい知覚される真円度係数を取得するために、前記決定されたレンダリングされる真円度係数の関数として、前記観察者にとっての視差変換関数（ＴＤ）を決定する手段と、
を含む、前記装置。
［付記８］
前記レンダリングされる真円度係数（ｒｒｆ）を決定する手段は、円形オブジェクトに対する円柱の幅を前記円柱の奥行きで除算する、
付記７に記載の３Ｄコンテンツの歪み誤差を補正するための前記装置。
［付記９］
抽出手段により、前記視差の値は、前記３Ｄコンテンツに関連付けられた視差マップから抽出される、
付記７に記載の３Ｄコンテンツの歪み誤差を補正するための前記装置。
［付記１０］
計算手段により、前記視差の値は、前記３Ｄコンテンツに関連付けられた前記観察者のパラメーターから計算される、
付記７に記載の３Ｄコンテンツの歪み誤差を補正するための前記装置。
［付記１１］
前記視差および前記３Ｄコンテンツのオブジェクトの前記スクリーンに対する距離は、前記オブジェクトの各ピクセルの、視差の平均および前記スクリーンに対する距離の平均として定義される、
付記１１に記載の３Ｄコンテンツの歪み誤差を補正するための前記装置。
［付記１２］
前記オブジェクトの視差の値を変更する前記手段は、現実世界をキャプチャするための手段または３Ｄ作成ソフトウェアの３Ｄ描画をキャプチャするための手段に直接実装されている、
付記８に記載の３Ｄコンテンツの歪み誤差を補正するための前記装置。
【図１】
0006393254.tif 000004
【図２】
0006393254.tif 000005
【図３】
0006393254.tif 000006
【図４】
0006393254.tif 000007
【図５】
0006393254.tif 000008